【手続補正書】
【提出日】平成17年3月23日(2005.3.23)
【手続補正１】
【補正対象書類名】特許請求の範囲
【補正対象項目名】全文
【補正方法】変更
【補正の内容】
【特許請求の範囲】
【請求項１】
人工装具に緊密に嵌着されるインプラントであって、挿入ツールを用いて骨にねじ込まれる外部雄ネジ付きインプラント本体を備え、前記本体は開端を有する内部軸方向穴と前記穴の開端に位置する導入領域を有し、前記導入領域はスペーサ要素を支持する接続部および前記スペーサ要素と協同して前記スペーサ要素、前記インプラント本体、および前記挿入ツール間の回動を阻止する手段を備え、前記導入領域の軸方向長さは前記外部雄ネジと実質的に重ならないようになっているインプラントにおいて、前記導入領域は、嵌着接続領域、案内領域、および芯出し領域を備えていることを特徴とするインプラント。
【請求項２】
前記スペーサを支持する接続部は、少なくとも３つの接続要素を備えていることを特徴とする請求項１に記載のインプラント。
【請求項３】
前記導入領域は、前記挿入ツールに前記インプラントを位置決めする支持機能を付与することを特徴とする請求項１に記載のインプラント。
【請求項４】
前記案内領域および芯出し領域は、前記導入領域の一端側に配置されていることを特徴とする請求項１に記載のインプラント。
【請求項５】
軸方向延在通路を有する少なくとも１つのスペーサを備え、前記スペーサの一端が前記インプラント本体の冠側前端に固定可能となっていることを特徴とする請求項１に記載のインプラント。
【請求項６】
前記スペーサは、前記穴の閉端の通路内に挿入可能なスクリューによって、前記インプラント本体に取付け可能であることを特徴とする請求項５に記載のインプラント。
【請求項７】
前記スペーサは、前記固定可能な一端から離れたプラグ部を有し、人工装具が嵌入される冠側前端に環状肩を備えていることを特徴とする請求項５に記載のインプラント。
【請求項８】
前記プラグ部は、前記環状肩と隣接して配置され、少なくとも１つの接続要素を有する嵌着接続領域と前記プラグ部の一端側に位置する案内および芯出し領域を有していることを特徴とする請求項７に記載のインプラント。
【請求項９】
前記スペーサの前記プラグ部の前記案内／芯出し領域の外径は、前記インプラントの前記案内領域および芯出し領域の直径と本質的に対応していることを特徴とする請求項８に記載のインプラント。
【請求項１０】
前記スペーサの前記肩が前記インプラント本体の前記冠端と係合するとき、前記スペーサの前記案内領域および芯出し領域は前記導入領域の前記案内および芯出し領域内に嵌入し、前記嵌着接続領域は前記導入領域の前記嵌着接続領域内に配置されていることを特徴とする請求項９に記載のインプラント。
【請求項１１】
前記スペーサおよび前記インプラント間を協同作用させる手段は、前記スペーサおよび前記インプラント本体の１つに形成された２つの隆起間の溝と前記スペーサおよび前記インプラント本体の他の１つに形成された突起からなる接続要素を備え、前記スペーサの前記プラグ部が前記止まり穴に挿入されて前記環状肩が前記冠端に係合すると、前記突起が前記溝内に嵌入されるようになっていることを特徴とする請求項１に記載のインプラント。
【請求項１２】
前記インプラント本体の前記穴は、その一端に隣接する嵌着接続領域を有し、前記嵌着接続領域は、適当な工具によって前記嵌着接続領域に配置された前記挿入ツールに前記インプラントを支持する機能を付与することを特徴とする請求項１１に記載のインプラント。
【請求項１３】
前記穴は、前記芯出し領域と前記インプラント本体の前記閉端との間の直径よりも小さい直径を有するネジ部を備えていることを特徴とする請求項１または６に記載のインプラント。
【請求項１４】
前記スペーサスクリューは、前記スペーサを完全に挿通し、前記インプラント本体の前記閉端の近傍の前記ネジ部にねじ込まれていることを特徴とする請求項１３に記載のインプラント。
【請求項１５】
前記インプラント本体の少なくとも１つの接続要素は、前記インプラント本体の長軸と実質的に平行に延在して前記一端側に開口する嵌着接続溝の形状を有していることを特徴とする請求項１１に記載のインプラント。
【請求項１６】
前記インプラント本体は複数の接続要素を有し、前記接続要素は前記インプラント本体の前記導入領域の円周に沿って３０°の間隔で互いに離間していることを特徴とする請求項１５に記載のインプラント。
【請求項１７】
前記インプラント本体は複数の接続要素を有し、前記接続要素は前記導入領域の円周に沿って６０°の間隔で互いに離間していることを特徴とする請求項１５に記載のインプラント。
【請求項１８】
前記嵌着接続溝の各々は、前記インプラント本体の前記穴の軸と直交する方向に延長する面において実質的に円弧状の断面を有していることを特徴とする請求項１５に記載のインプラント。
【請求項１９】
前記嵌着接続溝の各々は、前記穴の軸と直交する方向に延長する面において実質的に三角形状の断面を有していることを特徴とする請求項１５に記載のインプラント。
【請求項２０】
前記嵌着接続溝の各々は、前記穴の軸と直交する方向に延長する面において実質的に湾曲した長方形状の断面を有していることを特徴とする請求項１５に記載のインプラント。
【請求項２１】
前記嵌着接続溝の各々は、前記インプラント本体の前記穴の開端において開口していることを特徴とする請求項１５に記載のインプラント。
【請求項２２】
前記嵌着接続溝の各々は、前記穴の前記開端から前記閉端に向かって少なくとも部分的に減少する断面を有していることを特徴とする請求項１５に記載のインプラント。
【請求項２３】
前記嵌着接続溝の断面は、前記穴の前記開端から前記閉端に向かって径方向に減少していることを特徴とする請求項２２に記載のインプラント。
【請求項２４】
前記インプラント本体は、前記導入領域の周囲に沿って互いに離間した複数の接続要素を有し、前記スペーサは、前記嵌着接続部の周囲に沿って互いに離間した複数の接続要素を有し、前記スペーサの前記接続要素の数は、前記インプラント本体の前記接続要素の数よりも少ないことを特徴とする請求項１に記載のインプラント。
【請求項２５】
前記インプラント本体の前記嵌着接続領域は、前記接続要素の各々と前記案内領域との間に環状アンダーカットを有していることを特徴とする請求項２０に記載のインプラント。
【請求項２６】
前記インプラント本体の前記一端における内端壁は傾斜面を有し、前記傾斜面は前記インプラント本体の前記冠側前端から前記穴の前記閉端に向かって前記インプラント本体の前記嵌着接続領域内に円錐状に傾斜していることを特徴とする請求項１に記載のインプラント。
【請求項２７】
前記スペーサは、前記環状肩と前記接続要素の各々との間に環状アンダーカットを有していることを特徴とする請求項２６に記載のインプラント。
【請求項２８】
前記インプラントは歯科用インプラントであることを特徴とする請求項１に記載のインプラント。
【請求項２９】
前記インプラントは整形外科用インプラントであることを特徴とする請求項１に記載のインプラント。
【請求項３０】
前記インプラントはチタン製インプラントであることを特徴とする請求項１に記載のインプラント。
【請求項３１】
人工装具に緊密に嵌着されるインプラントであって、挿入ツールを用いて骨にねじ込まれる外部雄ネジ付きインプラント本体を備え、前記本体は開端を有する内部軸方向穴と前記穴の開端に位置する導入領域を有し、前記導入領域はスペーサ要素を支持する接続部および前記スペーサ要素と協同して前記スペーサ要素、前記インプラント本体、および前記挿入ツール間の回動を阻止する手段を備えるようなインプラントにおいて、変形帯を有していることを特徴とするインプラント。
【請求項３２】
前記スペーサが前記変形帯を有していることを特徴とする請求項３１に記載のインプラント。
【請求項３３】
前記変形帯は、回転阻止手段の各々の片側または両側に設けられていることを特徴とする請求項３２に記載のインプラント。
【請求項３４】
前記変形帯は、内部に向かって鋭角に突出していることを特徴とする請求項３１に記載のインプラント。
【請求項３５】
前記内部接続柱状体は、過剰な曲げを阻止するように構成されていることを特徴とする請求項３１に記載のインプラント。
【請求項３６】
前記インプラント接続および／または内部アバットメント接続は、金属変形を伴うように構成されていることを特徴とする請求項３１に記載のインプラント。
【請求項３７】
前記接続柱部または要素のコーナは、回転運動を可能な限り少なくするために変形するように構成されていることを特徴とする請求項３１に記載のインプラント。
【請求項３８】
前記案内部のコーナが変形することを特徴とする請求項３１に記載のインプラント。
【請求項３９】
人工装具に緊密に嵌着されるインプラントであって、挿入ツールを用いて骨にねじ込まれる外部雄ネジ付きインプラント本体を備え、前記本体は開端を有する内部軸方向穴と前記穴の開端に位置する導入領域を有し、前記導入領域はスペーサ要素を支持する接続部および前記スペーサ要素と協同して前記スペーサ要素、前記インプラント本体、および前記挿入ツール間の回動を阻止する手段を備えるようなインプラントにおいて、変形帯を有していることを特徴とするインプラント。
【請求項４０】
ねじ込み力の付加によってねじ込み位置に配置されかつ固定されるネジ付きインプラントの配置構造であって、前記インプラントは一端が開口する内部穴を有し、かつ前記インプラントの接触面に係合する少なくとも１つのスペーサ要素を備え、前記インプラントは導入領域を備え、前記導入領域はツールと前記スペーサ要素の両方または前記ツールと前記導入領域との間の回動を阻止する手段を有するような配置構造において、前記導入領域の軸方向長さは穴内に外部雄ネジと重ならない深さまで延長されていることを特徴とする配置構造。
【請求項４１】
挿入ツールによって前記回動阻止手段に付加される比較的大きな力は、その後の前記インプラントおよび前記スペーサ要素間の嵌着には機械的な影響を与えないものであることを特徴とする請求項４０に記載の配置構造。
【請求項４２】
ネジ付きインプラントを骨内に係留し、少なくとも１つのスペーサを前記インプラントのねじ込み位置において前記インプラントの接触面に押し込む方法において、前記インプラントの回動阻止部に付加されるねじ込み力はツールによって与えられ、前記回動阻止部は少なくとも回復期は前記スペーサの回動を阻止することを特徴とする方法。
【請求項４３】
前記ツールは前記インプラントの内部に配置され、前記インプラントを支持する機能を確保するような形状を有していることを特徴とする請求項４２に記載の方法。
【請求項４４】
星状スクリュードライバ式の前記ツールが前記インプラントの内部に配置され、ねじ込み操作中、前記ツールの翼状部が溝状の回動阻止手段内の実質的に径方向に延長する面に押し付けられることを特徴とする請求項４３に記載の方法。
【請求項４５】
前記骨は顎骨であることを特徴とする請求項４２に記載の方法。
【請求項４６】
請求項１に記載のインプラントに用いられるスペーサ要素。
【請求項４７】
前記スペーサ要素は変形帯を有していることを特徴とする請求項４６に記載のスペーサ要素。
【請求項４８】
請求項１または３１に記載のインプラントと、
前記インプラントを支持して挿入するツールと、
前記インプラントに嵌合するスペーサ要素と、
を備えているインプラント用具一式。
【請求項４９】
スペーサ要素をさらに備えることを特徴とする請求項４８に記載のインプラント用具一式。
【請求項５０】
前記インプラント用具一式は歯科用インプラント用具一式であることを特徴とする請求項４８に記載のインプラント用具一式。
【請求項５１】
請求項１に記載のインプラントに関連して用いられる挿入ツール。
【請求項５２】
添付の図面に実質的に記載されるようなインプラントまたは配置構造。